(57)【要約】【課題】接続されている太陽電池のいずれかが停止した際に、接続されている他の太陽電池の出力電力を、チョッパ回路の定格によって制限することなく変換する。【解決手段】太陽光発電用電力変換装置２は、各太陽電池１ａ，１ｂが各電力検出部２１ａ，２１ｂと各スイッチ２２ａ，２２ｂとを介して、各入力端子にそれぞれ接続された複数のチョッパ回路２４ａ，２４ｂと、複数のチョッパ回路２４ａ，２４ｂの入力端子の間に、それぞれ接続された連絡母線用スイッチ２３と、太陽電池１ａ，１ｂのうち太陽電池１ｂかが停止したならば、停止した太陽電池１ｂに係るチョッパ回路２４ｂの入力端子と超過した太陽電池１ａに係るチョッパ回路２４ａの入力端子との間に接続された連絡母線用スイッチ２３を投入するように制御する制御回路２７とを備えた。【選択図】図１
2014166087.tif 000002
【特許請求の範囲】
【請求項１】
各太陽電池が各電力検出部と各第１のスイッチとを介して、各入力端子にそれぞれ接続された複数の入力回路と、
複数の前記入力回路の入力端子の間に、それぞれ接続された１または複数の第２のスイッチと、
前記太陽電池のうちいずれかが停止したならば、前記停止した太陽電池に係る入力回路の入力端子と、前記太陽電池のうち他のいずれかに係る入力回路の入力端子との間に接続された第２のスイッチを投入するように制御する制御回路と、
を備えたことを特徴とする太陽光発電用電力変換装置。
【請求項２】
前記制御回路は更に、
前記太陽電池のうち他のいずれかが供給する電力が所定値を超過したならば、前記超過した太陽電池が供給する電力のうち、前記所定値の超過分の電力を変換するように、前記停止した太陽電池に係る入力回路を制御する、
ことを特徴とする請求項１に記載の太陽光発電用電力変換装置。
【請求項３】
前記制御回路は更に、
前記太陽電池のうち他のいずれかが供給する電力が所定値を超過したならば、前記超過した太陽電池が供給する電力を、前記超過した太陽電池に係る入力回路と前記停止した太陽電池に係る入力回路とが均等に変換するように制御する、
ことを特徴とする請求項１に記載の太陽光発電用電力変換装置。
【請求項４】
前記制御回路は、
前記太陽電池のうちいずれかが停止し、かつ、前記太陽電池のうち他のいずれかが供給する電力が前記所定値を超過していないならば、前記停止した太陽電池に係る入力回路を停止させる、
ことを特徴とする請求項１に記載の太陽光発電用電力変換装置。
【請求項５】
前記所定値は、前記入力回路の定格値である、
ことを特徴とする請求項１ないし請求項４のいずれか１項に記載の太陽光発電用電力変換装置。
【請求項６】
各前記入力回路は、電圧を昇圧するチョッパ回路であり、
各前記入力回路が変換して出力した直流電力の総和を、交流電力に変換して電力系統に出力するインバータを更に備える、
ことを特徴とする請求項１に記載の太陽光発電用電力変換装置。
【発明の詳細な説明】
【技術分野】
【０００１】
本発明は、太陽電池を使用した分散型電源である太陽光発電用電力変換装置に関する。
【背景技術】
【０００２】
近年、環境破壊や資源の枯渇などが深刻な問題となっている。この問題を解決するため、太陽光発電に代表される再生可能エネルギを使用した分散型電源の導入が積極的に進んでいる。それに伴い、これら再生可能エネルギを効率的に活用可能なシステムの構築が求められている。太陽光エネルギを効率的に活用する方法のひとつとして、単一の電力変換装置に複数の太陽電池を接続する方法が知られている。
特許文献１，２には、複数の太陽電池が接続できるように構成された電力変換装置の発明が記載されている。
【０００３】
特許文献１の課題には、「複数の太陽電池アレイを並列接続して入力される系統連系インバータにおいて、各太陽電池アレイに対して独立に最大電力追従を行わせ、システム発電効率の向上を図る。」と記載され、その解決手段には、「複数の太陽電池モジュール８ａ、８ｂ、８ｃを電力源とする太陽光発電用電力変換装置において、各太陽電池モジュール８ａ、８ｂ、８ｃ毎に各太陽電池モジュール８ａ、８ｂ、８ｃの最大電力追従を行う昇圧チョッパ部２６ａ、２６ｂ、２６ｃや波形成形部３４ａ、３４ｂ、３４ｃ、３４ｄなどのＤＣ／ＤＣコンバータを設け、各太陽電池モジュール８ａ、８ｂ、８ｃより最大電力を導出し、その後まとめてインバータ２３、ＤＣ／ＡＣコンバータ３６等で交流出力に変換する。」と記載されている。
【０００４】
特許文献２の課題には、「複数の太陽電池アレイからの直流電力を交流電力に変換する複数台の非絶縁型のパワーコンディショナを、機械的な開閉器を用いることなく、高い効率で運転できるようにする。」と記載され、その解決手段には、「太陽電池の発電電力が低いときには、第１，第２のサイリスタ２０，２１をオンして第２の発電システムの太陽電池アレイ５からの直流電力を第１の発電システムのパワーコンディショナ４に入力し、パワーコンディショナ４によって、第１の発電システムの太陽電池アレイ２からの直流電力および第２の発電システムの太陽電池アレイ５から直流電力を交流電力に変換するとともに、ＩＧＢＴ２２をオフして第２の発電システムのパワーコンディショナへ７の直流電力の供給を遮断することにより、パワーコンディショナ７の運転を停止する。」と記載されている。
【先行技術文献】
【特許文献】
【０００５】
【特許文献１】特開平１１-３１８０４２号公報
【特許文献２】特開２００９−２２５４８９号公報
【発明の概要】
【発明が解決しようとする課題】
【０００６】
近年の傾向として、電力変換器には、より多くの発電電力を得るために、この電力変換器の定格容量以上の電力を出力可能な太陽電池を接続する場合が多い。
この電力変換装置においては、各太陽電池が供給する電力は、その太陽電池に係る入力回路であるチョッパ回路の定格容量により変換できる電力が制限され、この定格容量を超えた分の電力は有効に変換されなくなる。他方で、この電力変換器に接続された太陽電池が保守や故障などで停止した場合、停止した太陽電池に係るチョッパ回路などの変換器も停止して、有効に使われなくなる。
特許文献１，２には、この問題は記載も示唆もされておらず、よって、この問題を解決するものではない。
【０００７】
そこで、本発明は、接続されている太陽電池のいずれかが停止した際に、接続されている他の太陽電池が供給する出力電力を、チョッパ回路の定格によって制限することなく変換することができる太陽光用電力変換装置を提供することを課題とする。
【課題を解決するための手段】
【０００８】
前記した課題を解決するため、本発明の請求項１に記載の発明では、各太陽電池が各電力検出部と各第１のスイッチとを介して、各入力端子にそれぞれ接続された複数の入力回路と、複数の前記入力回路の入力端子の間に、それぞれ接続された１または複数の第２のスイッチと、前記太陽電池のうちいずれかが停止したならば、前記停止した太陽電池に係る入力回路の入力端子と、前記太陽電池のうち他のいずれかに係る入力回路の入力端子との間に接続された第２のスイッチを投入するように制御する制御回路と、を備えたことを特徴とする太陽光発電用電力変換装置とした。
その他の手段については、発明を実施するための形態のなかで説明する。
【発明の効果】
【０００９】
本発明によれば、接続されている太陽電池のいずれかが停止した際に、接続されている他の太陽電池が供給する出力電力を、チョッパ回路の定格によって制限することなく変換することができる太陽光用電力変換装置を提供することが可能となる。
【図面の簡単な説明】
【００１０】
【図１】第１の実施形態に於ける太陽光発電用電力変換装置の構成図である。
【図２】第１の実施形態に於ける太陽光発電用電力変換装置の各部動作を説明するグラフである。
【図３】第２の実施形態に於ける太陽光発電用電力変換装置の各部動作を説明するグラフである。
【発明を実施するための形態】
【００１１】
以降、本発明を実施するための形態を、各図を参照して詳細に説明する。
（第１の実施形態）
図１は、第１の実施形態に於ける太陽光発電用電力変換装置２を示す概略の構成図である。
太陽光発電用電力変換装置２は、電力検出部２１ａ，２１ｂと、スイッチ２２ａ，２２ｂと、連絡母線用スイッチ２３と、入力回路であるチョッパ回路２４ａ，２４ｂと、直流コンデンサ２５と、インバータ２６と、制御回路２７とを備えている。太陽光発電用電力変換装置２は、入力側に太陽電池１ａ，１ｂが接続され、出力側に電力系統３が接続されている。
【００１２】
太陽電池１ａは、電力検出部２１ａと第１のスイッチであるスイッチ２２ａとを介して、チョッパ回路２４ａの入力端子に接続されている。太陽電池１ｂは、電力検出部２１ｂと第１のスイッチであるスイッチ２２ｂとを介して、チョッパ回路２４ｂの入力端子に接続されている。
チョッパ回路２４ａの入力端子とチョッパ回路２４ｂの入力端子とは、それぞれ連絡母線用スイッチ２３によって開閉可能に接続されている。制御回路２７には、各入力端子に電力検出部２１ａ，２１ｂがそれぞれ接続され、各出力端子に連絡母線用スイッチ２３の制御端子と、チョッパ回路２４ａ，２４ｂの制御端子がそれぞれ接続されている。
チョッパ回路２４ａ，２４ｂのＰ側は、それぞれ直流コンデンサ２５の一端に接続され、更にインバータ２６の入力端子に接続されている。直流コンデンサ２５の他端は、チョッパ回路２４ａ，２４ｂのＮ側に接続されている。インバータ２６の出力端子は、電力系統３に接続されている。
太陽光発電用電力変換装置２は、複数の太陽電池１ａ，１ｂから供給された電力を変換して、電力系統３と連系運転を行い、この電力を逆潮流するものである。
【００１３】
太陽電池１ａ，１ｂは、例えば、シリコンのセルが平面上に構成されている太陽電池パネルであり、受光した光を電力に変換して供給するものである。以下、各太陽電池１ａ，１ｂを特に区別しないときには、単に太陽電池１と記載する。
電力検出部２１ａ，２１ｂは、電圧と電流とを検出して、制御回路２７に出力するものである。以下、各電力検出部２１ａ，２１ｂを特に区別しないときには、単に電力検出部２１と記載する。
【００１４】
複数の第１のスイッチであるスイッチ２２ａ，２２ｂは、それぞれに係る太陽電池１ａ，１ｂとチョッパ回路２４ａ，２４ｂとを電気的に切り離し、または、電気的に接続するものである。スイッチ２２ａ，２２ｂをそれぞれ開放することにより、それぞれに係る太陽電池１ａ，１ｂは解列される。以下、各スイッチ２２ａ，２２ｂを特に区別しないときには、単にスイッチ２２と記載する。
第２のスイッチである連絡母線用スイッチ２３は、制御回路２７によって制御されて、チョッパ回路２４ａの入力端子とチョッパ回路２４ｂの入力端子とを電気的に切り離すか、または接続するかを切り替えるものである。
【００１５】
入力回路であるチョッパ回路２４ａ，２４ｂは、入力端子に印加された直流電圧を昇圧するものであり、制御回路２７によって制御されて、所定の電力を変換して出力するものである。各チョッパ回路２４ａ，２４ｂを特に区別しないときには、単にチョッパ回路２４と記載する。
チョッパ回路２４は、所定割合の効率で、入力された電力を変換して出力するものである。しかし、以下では単純化のため、チョッパ回路２４の変換効率を１００％として説明する。
直流コンデンサ２５は、各チョッパ回路２４ａ，２４ｂがＰ側とＮ側との間に印加する出力電圧を平滑化するものである。
【００１６】
インバータ２６は、直流電力を交流に変換して出力するものである。
制御回路２７は、電力検出部２１ａ，２１ｂによって各太陽電池１ａ，１ｂの電力を検出し、それに応じて連絡母線用スイッチ２３とチョッパ回路２４ａ，２４ｂとに指令を与えて制御するものである。制御回路２７は、各太陽電池１ａ，１ｂが供給した電力を、チョッパ回路２４ａ，２４ｂの定格値（所定値）の範囲内で最大電力になるように制御する。
【００１７】
《通常時の動作》
ここで、各太陽電池１ａ，１ｂが両方とも動作している場合について説明する。各太陽電池１ａ，１ｂが動作しているならば、連絡母線用スイッチ２３は、開放されている。
各太陽電池１ａ，１ｂが供給した電力は、各チョッパ回路２４ａ，２４ｂによってそれぞれ変換されて出力側で結合され、各チョッパ回路２４ａ，２４ｂが変換した直流電力の総和となる。結合された直流電力は、インバータ２６によって系統電圧に同期した交流電力に変換され、電力系統３に出力される。
【００１８】
《いずれかの太陽電池１が停止したときの動作》
例えば、太陽電池１ｂが保守や故障によって停止した際、停止した太陽電池１ｂに係るスイッチ２２ｂは開放され、よって、停止した太陽電池１ｂは解列される。なお、スイッチ２２ｂの開放は、制御回路２７が指令してもよく、操作者が手作業で操作してもよい。
【００１９】
制御回路２７は、スイッチ２２ｂの開放により、停止した太陽電池１ｂが供給する電力が０になったこと、すなわち太陽電池１ｂが停止したことを検知する。制御回路２７は、連絡母線用スイッチ２３を投入するように制御し、停止した太陽電池１ｂに係るチョッパ回路２４ｂに、太陽電池１ａの電力を供給可能とする。
【００２０】
制御回路２７は、運転中の太陽電池１ａに係るチョッパ回路２４ａに対して、このチョッパ回路２４ａの定格値を上限として、最大電力に追従するように制御する。
制御回路２７は、運転中の太陽電池１ａが供給する電力が、この太陽電池１ａに係るチョッパ回路２４ａの定格値よりも小さいならば、停止した太陽電池１ｂに接続されているチョッパ回路２４ｂに対して、そのスイッチングを停止させるように制御する。これにより、太陽光発電用電力変換装置２は、チョッパ回路２４ｂのスイッチングによる電力の消費を避けることができる。
【００２１】
制御回路２７は更に、運転中の太陽電池１ａが供給する電力がチョッパ回路２４ａの定格値を超過したならば、更にチョッパ回路２４ｂに対して、その定格値の超過分の電力を変換するように制御する。
このとき、チョッパ回路２４ｂの入力端子に供給される電力は小さいので、連絡母線用スイッチ２３に流れる電流は小さい。これにより、連絡母線用スイッチ２３は、定格電流が小さい廉価なものを用いることができる。
【００２２】
制御回路２７は、停止した太陽電池１ｂを再び運転するならば、連絡母線用スイッチ２３を開放し、スイッチ２２ｂを投入して、太陽電池１ｂの電力をチョッパ回路２４ｂに供給し、通常の運転状態に戻す。
【００２３】
制御回路２７は、運転中の太陽電池１ａ，１ｂのうち、太陽電池１ａが保守や故障によって停止した際にも、同様に制御すればよい。
【００２４】
図２（ａ）〜（ｃ）は、第１の実施形態に於ける太陽光発電用電力変換装置２の各部動作を説明するグラフである。
図２（ａ）の縦軸は、第１の太陽電池１ａの電力の定格比を示している。
図２（ｂ）の縦軸は、第１のチョッパ回路２４ａの入力電力の定格比を示している。
図２（ｃ）の縦軸は、第２のチョッパ回路２４ｂの入力電力の定格比を示している。
図２（ａ）〜（ｃ）の横軸は、共通する時刻を示している。図２（ａ），（ｃ）に於いて、灰色部分は、第２のチョッパ回路２４ｂの入力電圧分を示している。
グラフに示した時刻に於いて、第２の太陽電池１ｂは停止しており、スイッチ２２ｂは開放され、連絡母線用スイッチ２３は投入されている。
【００２５】
時刻ｔ１以前に於いて、運転中の第１の太陽電池１ａが供給する電力の定格比は、１００％である。よって、運転中の太陽電池１ａが供給する電力は、太陽電池１ａに係るチョッパ回路２４ａの定格以内である。このとき、制御回路２７は、太陽電池１ａに係るチョッパ回路２４ａを制御して、運転中の太陽電池１ａが供給する電力のうち定格比１００％分を変換する。
【００２６】
時刻ｔ１以降に於いて、第１の太陽電池１ａが供給する電力の定格比は、１３０％である。よって、太陽電池１ａが供給する電力は、太陽電池１ａに係るチョッパ回路２４ａの定格を超過している。このとき、制御回路２７は、超過した第１の太陽電池１ａに係るチョッパ回路２４ａを制御して、超過した太陽電池１ａが供給する電力のうち定格比１００％分を変換し、停止した太陽電池１ｂに係るチョッパ回路２４ｂを制御して、超過した太陽電池１ａが供給する電力をのうち定格比３０％分を変換する。
これにより、太陽光発電用電力変換装置２は、超過した太陽電池１ａが供給する電力を、チョッパ回路２４ａの定格によって制限することなく変換することができる。太陽光発電用電力変換装置２は更に、連絡母線用スイッチ２３に流れる電流を、太陽光発電用電力変換装置２の入力部のスイッチ２２ａに流れる電流と比べて小さくすることができる。
【００２７】
（第１の実施形態の効果）
以上説明した第１の実施形態では、次の（Ａ）〜（Ｄ）のような効果がある。
【００２８】
（Ａ）  接続されている太陽電池１のいずれかが停止した際に、接続されている他の太陽電池１から供給された出力電力を、チョッパ回路２４の定格によって制限することなく変換することができる。
【００２９】
（Ｂ）  各チョッパ回路２４の入力端子を接続する連絡母線用スイッチ２３に流れる電流を、太陽光発電用電力変換装置２の入力部のスイッチ２２ａに流れる電流と比べて小さくすることができる。よって、連絡母線用スイッチ２３は、定格電流が小さい廉価なものを用いることができる。
【００３０】
（Ｃ）  制御回路２７は、運転中の太陽電池１ａが供給する電力が、この太陽電池１ａに係るチョッパ回路２４ａの定格よりも小さいならば、停止した太陽電池１ｂに接続されているチョッパ回路２４ｂに対して、そのスイッチングを停止させるように制御する。これにより、太陽光発電用電力変換装置２は、チョッパ回路２４ｂのスイッチングによる電力の消費を避けることができる。
【００３１】
（Ｄ）  太陽光発電用電力変換装置２は更に、チョッパ回路２４が変換した直流電力を交流に変換するインバータ２６を備えている。これにより、太陽光発電用電力変換装置２は、発電した電力を、電力系統３に出力（逆潮流）することができる。
【００３２】
（第２の実施形態）
第２の実施形態に係る太陽光発電用電力変換装置２の構成は、第１の実施形態の太陽光発電用電力変換装置２（図１）の構成と同様である。
第２の実施形態に係る太陽光発電用電力変換装置２の動作は、通常の場合と、いずれかの太陽電池１が停止し、他の太陽電池１が供給する電力が定格を超えない場合とは同様である。しかし、いずれかの太陽電池１が停止し、他の太陽電池１が供給する電力が定格を超えた場合の動作が異なる。
【００３３】
制御回路２７は更に、運転中の太陽電池１ａが供給する電力がチョッパ回路２４ａの定格を超過したならば、チョッパ回路２４ａとチョッパ回路２４ｂとに対して、その定格値を超過した分の電力を均等に変換するように制御する。これにより、チョッパ回路２４ａ，２４ｂに流れる電流が小さくなり、負荷損を軽減することができるので、太陽光発電用電力変換装置２の効率が改善できる。
【００３４】
図３（ａ）〜（ｃ）は、第２の実施形態に於ける太陽光発電用電力変換装置２の各部動作を説明するグラフである。
図３（ａ）の縦軸は、第１の太陽電池１ａの電力の定格比を示している。
図３（ｂ）の縦軸は、第１のチョッパ回路２４ａの入力電力の定格比を示している。
図３（ｃ）の縦軸は、第２のチョッパ回路２４ｂの入力電力の定格比を示している。
図３（ａ）〜（ｃ）の横軸は、共通する時刻を示している。図３（ａ），（ｃ）に於いて、灰色部分は、第２のチョッパ回路２４ｂの入力電圧分を示している。
グラフに示した時刻に於いて、第２の太陽電池１ｂは停止しており、スイッチ２２ｂは開放され、連絡母線用スイッチ２３は投入されている。
【００３５】
時刻ｔ２以前に於いて、第１の太陽電池１ａが供給する電力の定格比は、１００％である。よって、太陽電池１ａが供給する電力は、太陽電池１ａに係るチョッパ回路２４ａの定格以内である。このとき、制御回路２７は、太陽電池１ａに係るチョッパ回路２４ａを制御して太陽電池１ａが供給する電力のうち定格比１００％分をすべて変換する。
【００３６】
時刻ｔ２以降に於いて、第１の太陽電池１ａが供給する電力の定格比は、１３０％である。よって、太陽電池１ａが供給する電力は、太陽電池１ａに係るチョッパ回路２４ａの定格を超える。このとき、制御回路２７は、超過した第１の太陽電池１ａに係るチョッパ回路２４ａを制御して太陽電池１ａが供給する電力の半分である定格比６５％分を変換し、チョッパ回路２４ｂを制御して太陽電池１ａが供給する電力の半分である定格比６５％分を変換する。
これにより、太陽光発電用電力変換装置２は、運転中の太陽電池１ａが供給する出力電力を、チョッパ回路２４ａの定格によって制限することなく変換することができる。このとき、チョッパ回路２４ａ，２４ｂに流れる電流が小さくなり、負荷損を軽減することができるので、太陽光発電用電力変換装置２の効率を改善することができる。
【００３７】
（第２の実施形態の効果）
以上説明した第２の実施形態では、次の（Ｅ）のような効果がある。
【００３８】
（Ｅ）  各チョッパ回路２４ａ，２４ｂに流れる電流が小さくなり、負荷損を軽減することができるので、太陽光発電用電力変換装置２の効率を改善することができる。
【００３９】
（変形例）
本発明は上記した実施形態に限定されるものではなく、様々な変形例が含まれる。例えば上記した実施形態は、本発明を分かりやすく説明するために詳細に説明したものであり、必ずしも説明した全ての構成を備えるものに限定されるものではない。ある実施形態の構成の一部を他の実施形態の構成に置き換えることが可能であり、ある実施形態の構成に他の実施形態の構成を加えることも可能である。また、各実施形態の構成の一部について、他の構成の追加・削除・置換をすることも可能である。
【００４０】
上記の各構成、機能、処理部、処理手段などは、それらの一部または全部を、例えば集積回路などのハードウェアで実現してもよい。上記の各構成、機能などは、プロセッサがそれぞれの機能を実現するプログラムを解釈して実行することにより、ソフトウェアで実現してもよい。
【００４１】
各実施形態に於いて、制御線や情報線は、説明上必要と考えられるものを示しており、製品上必ずしも全ての制御線や情報線を示しているとは限らない。実際には、殆ど全ての構成が相互に接続されていると考えてもよい。
本発明の変形例として、例えば、次の（ａ）〜（ｄ）のようなものがある。
【００４２】
（ａ）  太陽光発電用電力変換装置２は、いずれかの太陽電池１が停止し、かつ、他の太陽電池１のいずれかの定格が超過したとき、電力変換が最も効率良く行えるように、各チョッパ回路２４の電力変換量を細かく制御してもよい。例えば、入力電力に基づき、各チョッパ回路２４へ割り当てる電力変換量と変換効率の多次元マップを作成し、出力電力が最大となるように、各チョッパ回路に電力変換させてもよい。
【００４３】
（ｂ）  太陽光発電用電力変換装置２は、太陽電池１、および、その太陽電池１に接続されたチョッパ回路２４を３組以上備えていてもよく、これら３つ以上のチョッパ回路２４は、複数の連絡母線用スイッチ２３で接続されていてもよい。
【００４４】
（ｃ）  太陽光発電用電力変換装置２は、チョッパ回路２４によって、太陽電池１が供給する電力を変換している。しかし、これに限られず、太陽光発電用電力変換装置は、太陽電池１に接続された入力回路として、チョッパ回路２４に替えてインバータ回路などの他の電力変換回路を設け、このインバータ回路によって所望の電力を変換してもよい。
【００４５】
（ｄ）  制御回路２７は、接続されている太陽電池のいずれかが停止し、かつ、他の運転中の太陽電池１が供給する電力がチョッパ回路２４が最適な変換を行える所定値を超えたとき、これを超過するか否かによって、停止した太陽電池１ｂに係るチョッパ回路２４ｂを動作させるか否かを切り替えてもよい。これにより、制御回路２７は、超過した太陽電池１に係るチョッパ回路２４に、最も効率の良い電力の変換を行わせることができる。
【符号の説明】
【００４６】
１，１ａ，１ｂ  太陽電池
２  太陽光発電用電力変換装置
２１ａ，２１ｂ  電力検出部
２２ａ，２２ｂ  スイッチ  （第１のスイッチ）
２３  連絡母線用スイッチ  （第２のスイッチ）
２４ａ，２４ｂ  チョッパ回路  （入力回路）
２５  直流コンデンサ
２６  インバータ
２７  制御回路
３  電力系統
【図１】
2014166087.tif 000003
【図２】
2014166087.tif 000004
【図３】
2014166087.tif 000005